(57)【要約】【課題】  血液溜りの拭き取り消毒が容易で、フロートが不要な混注管の提供【解決手段】  この混注管１は、スリーブ部材８が混注管１に着脱自在に構成されており、使用後にスリーブ部材８を外し、シール弁６の表面を露出させ、血液溜りの拭き取り消毒が容易できるようになっている。このため混注管本体２は繰り返しの再使用ができる。また、この混注管１は、頂部に弁孔が形成された略半球状のシール弁６が混注管本体の開口部に装着されている。このシール弁６は、シリコーンゴム等のゴム製で、スリーブ部材８のスリーブ部１２に注射器１９の先端１９ａが挿入されたときに、シール弁６の頂部が注射器１９の先端１９ａにより、下方に押圧され、その弾性変形により、弁孔５が開くようになっている。このため、フロートが不要である。【選択図】    図１
2005323679.tif 000002
【特許請求の範囲】
【請求項１】
混注管本体の開口部に装着され、頂部に弁孔が形成された略半球状または有天円筒状のシール弁と、
前記シール弁の弁孔の周囲に当接してシール弁の弁孔を封口するとともに、前記シール弁を混注管本体の開口部に保定する保定部材と、
前記混注管に脱着自在に取り付けられ、かつ、前記シール弁の弁孔にロック式注射器又はロック式コネクタの先端を押し当てるように接続するスリーブ部材とを備えていることを特徴とする混注管。
【請求項２】
混注管本体の開口部に対し、ロック式注射器又はロック式コネクタの先端を接続するスリーブ部を脱着自在に取り付けた混注管において、
前記混注管本体とスリーブ部との間に形成された流路の一部を他の部分に対してスライド移動して、流路が合致したときに開き、流路がずれたときに閉まるスライド弁を備えたことを特徴とする混注管。
【発明の詳細な説明】
【技術分野】
【０００１】
本発明は、例えば、輸液や薬液が封入される医療用バッグ、医療用ボトル、医療用瓶などの医療用容器や輸液配管に接続される混注管に関するものである。
【背景技術】
【０００２】
混注管にロック式注射器、ロック式コネクタを接続する場合、二条ネジと螺合する突条を持つスリーブ部を必要とするため、シール弁がスリーブ底部に配置され、シール弁表面に生じた血液溜りを拭き取るのは容易ではない。一方、ディスク状弁を対象にフロートを具備したスリーブ部を脱着自在とする工夫も見られる（例えば、特開２００３−３３９８７７号公報）。
【特許文献１】特開２００３−３３９８７７号公報
【発明の開示】
【発明が解決しようとする課題】
【０００３】
シール弁は、注射器抜脱後、シール弁表面にできる血液溜り、薬液溜りの拭き取り消毒が容易であることと、シール弁内側の血液、薬液の滞留する部分を極小化することを同時に満足させるものであり、混注管本体は繰り返し再使用できるものが望ましい。また、特開２００３−３３９８７７号公報に記載されたものは、脱離後のフロート処置が煩わしくなる欠点がある。
【課題を解決するための手段】
【０００４】
本発明の一の形態に係る混注管は、混注管本体の開口部に装着され、頂部に弁孔が形成された略半球状または有天円筒状のシール弁と、シール弁の弁孔の周囲に当接してシール弁の弁孔を封口するとともに、シール弁を混注管本体の開口部に保定する保定部材と、混注管に脱着自在に取り付けられ、かつ、シール弁の弁孔にロック式注射器又はロック式コネクタの先端を押し当てるように接続するスリーブ部材とを備えていることを特徴としている。
【０００５】
また、本発明の他の形態に係る混注管は、混注管本体の開口部に対し、ロック式注射器又はロック式コネクタの先端を接続するスリーブ部を脱着自在に取り付けた混注管において、混注管本体とスリーブ部の間に形成された流路の一部を他の部分に対してスライド移動させて流路を開閉するスライド弁を備えたことを特徴としている。
【発明の効果】
【０００６】
本発明に係る混注管は、何れもスリーブ部材が着脱自在になっており、使用後にスリーブ部材を外すことにより、シール弁表面が露出するため血液溜りの拭き取り消毒が容易である。このため混注管本体は繰り返しの再使用ができる。この場合、スリーブ部材のみは使い捨てとすればよく、或いは纏めて洗浄消毒してもよい。
【０００７】
また、一の形態に係る混注管は、混注管本体の開口部に装着され、頂部に弁孔が形成された略半球状または有天円筒状のシール弁を備え、他の形態に係る混注管は、スライド弁構造を備えているので、特開２００３−３３９８７７号公報に記載されたもののように、フロートが不要で、脱離後のフロート処置などが煩わしい問題がない。
【発明を実施するための最良の形態】
【０００８】
以下、本発明に係る医療用スライド式開閉弁の実施形態を図面に基づいて説明する。
【０００９】
本発明の第１実施形態に係る混注管１は、図１に示すように、混注管本体２の開口部３に装着され、頂部に弁孔５が形成された略半球状または有天円筒状のシール弁６と、シール弁６の弁孔５の周囲に当接してシール弁６の弁孔５を封口するとともに、シール弁６を混注管本体２の開口部３に保定する保定部材７と、混注管１に脱着自在に取り付けられ、かつ、シール弁６の弁孔５にロック式注射器又はロック式コネクタの先端を押し当てるように接続するスリーブ部材８とを備えている。
【００１０】
この実施形態では、スリーブ部材８は、図２（ａ）（ｂ）に示すように、円板状の基部１１と、基部１１の中央部に立設したスリーブ部１２と、円板状の基部１１の直径方向に対向する両側部から上下方向に延在した脱着操作片１３とを備えた形状で構成されている。脱着操作片１３の下端部には、混注管本体２の下端周縁部２ａ（図１参照）に係合する爪部１４が内側に突出している。この脱着操作片１３は、上部１５をつまむと、下部が開き、爪部１４を混注管本体２の下端周縁部２ａに係合させて、スリーブ部材８を混注管１に取り付けることができるようになっている。
【００１１】
この混注管１は、スリーブ部材８が混注管１に着脱自在に構成されており、使用後にスリーブ部材８を外し、シール弁６の表面を露出させ、血液溜りの拭き取り消毒が容易できるようになっている。このため混注管本体２は繰り返しの再使用ができる。スリーブ部材８の消毒は複数個纏めて洗浄消毒するようにしてもよい。また、スリーブ部材８のみ使い捨てにしてもよい。
【００１２】
また、この混注管１は、頂部に弁孔が形成された略半球状のシール弁６が混注管本体の開口部に装着されている。このシール弁６は、シリコーンゴム等のゴム製で、図３に示すように、スリーブ部材８のスリーブ部１２に注射器１９の先端１９ａが挿入されたときに、シール弁６の頂部が注射器１９の先端１９ａにより、下方に押圧され、その弾性変形により、弁孔５が開くようになっている。
【００１３】
このため、特開２００３−３３９８７７号公報に記載されたもののように、フロートが不要で、脱離後のフロート処置などが煩わしい問題がない。
【００１４】
スリーブ部材の着脱構造は、種々の変形が可能である。例えば、図４に示す変形例は、混注管１’のスリーブ部材８’と保定部材７’が、それぞれ側周面に凹凸嵌合部７ａ’、８ａ’を設けて、スリーブ部材８’を保定部材７’に着脱自在に取り付けたものである。
【００１５】
次に、本発明の第２実施形態に係る混注管を説明する。
【００１６】
本発明の第２実施形態に係る混注管２１は、図５に示すように、混注管本体２２の開口部２３に対し、ロック式注射器又はロック式コネクタの先端を接続するスリーブ部２４が脱着自在に取り付けられており、混注管本体２２とスリーブ部２４の間に形成された流路２５の一部２５ａが他の部分２５ｂに対してスライド移動して、図５に示すように、示すように、流路２５ａ、２５ｂが合致したときに開き、図６に示すように、流路２５ａ、２５ｂがずれたときに閉まるスライド弁２７を備えている。
【００１７】
この実施形態では、スライド弁２７は、詳しくは、混注管本体２２の開口部２３に、有底の略円形の弁体装着部３１を設けてあり、弁体装着部３１に略円板状の弁体３２と、弁体操作部材３３を取り付けたものである。弁体装着部３１の底部には、中心からずれた位置に流路孔２５ａが形成されている。また、弁体３２は、シリコーンゴム等のゴム製で、中心からずれた位置に、弁体装着部３１の流路孔２５ａに合致し得る流路２５ｂを備えている。斯かる流路２５ｂは円板状の弁体３２の上面から突出している。弁体操作部材３３は、円板状の弁体３２を弁体装着部３１に保定するとともに、円板状の弁体３２の上面から突出した流路２５ｂを保持する保持部３４を備えている。また、弁体操作部材３３は、有底の略円形の弁体装着部３１に回動自在に装着され、上面に回動操作する操作片３５を備えている。弁体操作部材３３の保持部３４の外周面には、図７、図８に示すように、上端部に開放されたＬ字形の溝３６が形成されている。
【００１８】
スリーブ部２４は、図５に示すように、弁体操作部材３３の保持部３４に装着される構造を備えており、下端部に保持部３４のＬ字形の溝３６に係合する係合片３７を備えている。スリーブ部２４は、斯かる係合片３７を弁体操作部材３３の保持部３４のＬ字形の溝３６に係合させることにより、着脱自在に取り付けられている。
【００１９】
この混注管２１は、スリーブ部２４に注射器１９の先端１９ａが挿入されたときに、注射器１９の先端１９ａが弁体３２の流路２５ｂの上端に押し当たるようになっている。弁体３２の流路２５ｂの上端は注射器１９の先端１９ａに密着し、シール性が確保されるようになっている。
【００２０】
この混注管２１は、スリーブ部２４が混注管２１に着脱自在に構成されており、使用後にスリーブ部２４を外し、弁体３２の表面を露出させ、血液溜りの拭き取り消毒が容易できるようになっている。このため混注管本体２２は繰り返しの再使用ができる。スリーブ部２４の消毒は複数個纏めて洗浄消毒するようにしてもよい。また、スリーブ部２４のみ使い捨てにしてもよい。
【００２１】
また、この混注管２１は、スライド弁２７が用いられており、スリーブ部２４に注射器１９の先端１９ａが挿入されたときに、注射器１９の先端１９ａが弁体３２の流路２５ｂの上端に押し当たり密着し、弁体３２の流路２５ｂと、注射器１９とのシール性が確保されるようになっている。このため、特開２００３−３３９８７７号公報に記載されたもののように、フロートが不要で、脱離後のフロート処置などが煩わしい問題がない。
【００２２】
以上、本発明の第２実施形態に係る混注管を説明したが、本発明は上記の実施形態に限定されるものではなく、スライド弁の構造など、種々の変更が可能である。
【図面の簡単な説明】
【００２３】
【図１】本発明の実施形態に係る混注管を示す縦断正面図。
【図２】スリーブ部材の正面図。
【図３】スリーブ部材の底面図。
【図４】混注管の変形例を示す縦断側面図。
【図５】本発明の実施形態に係る混注管を示す縦側断面図。
【図６】本発明の実施形態に係る混注管を示す縦側断面図。
【図７】弁体操作部材の側面図。
【図８】弁体操作部材の平面図。
【符号の説明】
【００２４】
１    混注管
２ａ  下端周縁部
２    混注管本体
３    開口部
５    弁孔
６    シール弁
７    保定部材
７ａ  凹凸嵌合部
８    スリーブ部材
１１  基部
１２  スリーブ部
１３  脱着操作片
１４  爪部
１５  上部
１９ａ      先端
１９  注射器
２１  混注管
２２  混注管本体
２３  開口部
２４  スリーブ部
２５  流路
２５ａ      流路孔
２５ｂ      流路
２７  スライド弁
３１  弁体装着部
３２  弁体
３３  弁体操作部材
３４  保持部
３５  操作片
３６  Ｌ字形の溝
３７  係合片
【図１】
2005323679.tif 000003
【図２】
2005323679.tif 000004
【図３】
2005323679.tif 000005
【図４】
2005323679.tif 000006
【図５】
2005323679.tif 000007
【図６】
2005323679.tif 000008
【図７】
2005323679.tif 000009
【図８】
2005323679.tif 000010